(57)【特許請求の範囲】
【請求項１】
折畳み式テーブルを備えた家具であって、
家具本体と、
テーブル天板と、
前記テーブル天板の幅方向両端部を支持し、前記テーブル天板の使用面を上方に向けた使用状態と、前記テーブル天板の前記使用面を前記家具本体の取付面に対向させた不使用状態との間で姿勢変化可能に支持する一対の支持部材と、を備え、
前記支持部材は、
前記取付面に固定されたブラケット部材と、
前記ブラケット部材に設けられ、前記テーブル天板を回動自在に軸支する軸支部材と、
前記テーブル天板を前記不使用状態から前記使用状態に向けて回動させたときに、前記テーブル天板に突き当たることでその回動角度を規制する回動角度規制部と、を備え、
前記テーブル天板は、前記回動角度規制部に対し、前記軸支部材よりも前記家具本体側で突き当たることを特徴とする折畳み式テーブルを備えた家具。
【請求項２】
前記テーブル天板とともに前記軸支部材に回動自在に軸支された回動部材と、
前記回動部材に形成された平面部が突き当たることで、前記テーブル天板の回動角度を規制する第二の回動角度規制部と、
をさらに備えることを特徴とする請求項１に記載の折畳み式テーブルを備えた家具。
【請求項３】
前記ブラケット部材は、前記回動部材を収容する凹所を有していることを特徴とする請求項２に記載の折畳み式テーブルを備えた家具。
【請求項４】
前記凹所は、前記テーブル天板に対向した側の側方にのみ開口していることを特徴とする請求項３に記載の折畳み式テーブルを備えた家具。
【請求項５】
前記ブラケット部材は、前記取付面に取り付けた状態において、前記取付面側から、前記取付面から離間した側に向けて、上下方向の長さが漸次縮小するよう形成されていることを特徴とする請求項１から４のいずれか一項に記載の折畳み式テーブルを備えた家具。
【請求項６】
前記回動角度規制部は、前記ブラケット部材において、上下方向の長さが拡大した前記取付面側に形成されていることを特徴とする請求項５に記載の折畳み式テーブルを備えた家具。
【請求項７】
前記家具は背もたれを有する椅子であり、前記取付面は、前記背もたれの背面であることを特徴とする請求項１から６のいずれか一項に記載の折畳み式テーブルを備えた家具。
【発明の詳細な説明】
【技術分野】
【０００１】
本発明は、物品等を載置できるテーブル天板を、家具本体に対し、テーブル天板の使用面が略上方を向く使用状態と、テーブル天板を回動させて家具本体に沿わせた不使用状態との間で回動可能に設けた折畳み式テーブルを備えた家具に関する。
【背景技術】
【０００２】
例えば、劇場、講堂、会議場、講義室等において、複数の椅子を前後左右に並べて複数設置される椅子において、その背もたれに、物品等を載置したり、その天面（使用面）上で筆記作業等を行うことのできるテーブルを備えたものがある。このようなテーブルを備えた椅子（テーブル付き家具）は、後列の椅子に着席した使用者が、前列の椅子の背もたれに設けられたテーブルを使用する。
そして、同じ列に並んだ複数の椅子間における着席者の移動を容易とするため、テーブル天板の使用面が略上方を向いた使用状態と、テーブル天板を回動させて背もたれに沿わせた不使用状態との間で、テーブル天板を回動できるようにしたものがある。
【０００３】
このようなテーブルは、使用者が対向した状態でテーブル天板の左右両端部が背もたれに回動自在に支持されている。そして、使用状態と不使用状態との間で、テーブル天板の回動角度を規制するため、ストッパ機構が備えられている。
【０００４】
このような折畳み式テーブルを備えた家具においては、使用者がテーブル天板を回動させるときに、指等をストッパ機構等に挟まないようにする必要がある。
【０００５】
そこで、特許文献１には、椅子の背凭れの背面に固定される支持ベースを、テーブル本体を支持する回動ケース内に回動可能に収容するとともに、回動ケースの内部に設けた円弧状凹部と、支持ベースから突設して回動ケースの内部に隠されるストッパピンとによって、回動ケース、およびそれに支持されるテーブル本体の回動範囲を規制する構成が開示されている。
このような構成においては、回動ケース内に、支持ベース、円弧状凹部、ストッパピンが位置するため、テーブルの使用者が、テーブル本体を回動させる際に、家具本体とテーブル本体との間の狭まる空間に指を挟むのを防いでいる。
【先行技術文献】
【特許文献】
【０００６】
【特許文献１】特許第４８６５６７９号公報（明細書段落［００２１］、図４）
【発明の概要】
【発明が解決しようとする課題】
【０００７】
しかしながら、上記特許文献１の構成においては、回動ケースの内部空間に収容されたストッパピンにより、使用状態でテーブルから加わる荷重や、テーブルの回動時にその回動角度の規制を繰り返すことによる瞬間的な衝撃のすべてを支持する必要がある。このストッパピンは、回動ケースの内部空間に収容されているため、非常に小さくせざるを得ず、したがって、テーブルの支持強度が低下しやすい。
これに対し、ストッパピンを大きくすることが有効であるが、その実現に際しては、回動ケースおよび支持ベースの双方を大型化しなければならない。したがって、テーブル支持部材が大きくなりすぎて外観体裁を損なったり、テーブル支持部材が家具から大きく突出して、有効空間内での家具の並設可能数を減らすなどの問題が発生することが考えられる。
そこでなされた本発明の目的は、使用者の指を挟みにくくしつつも、外観体裁を損なったり、テーブル支持部材が家具から大きく突出して有効空間内での家具の並設可能数を減らすのを防ぐことのできる折畳み式テーブルを備えた家具を提供することである。
【課題を解決するための手段】
【０００８】
本発明は、上記課題を解決するため、以下の手段を採用する。
すなわち、本発明は、折畳み式テーブルを備えた家具であって、家具本体と、テーブル天板と、テーブル天板の幅方向両端部を支持し、テーブル天板の使用面を上方に向けた使用状態と、テーブル天板の使用面を家具本体の取付面に対向させた不使用状態との間で姿勢変化可能に支持する一対の支持部材と、を備え、支持部材は、取付面に固定されたブラケット部材と、ブラケット部材に設けられ、テーブル天板を回動自在に軸支する軸支部材と、テーブル天板を不使用状態から使用状態に向けて回動させたときに、テーブル天板に突き当たることでその回動角度を規制する回動角度規制部と、を備え、テーブル天板は、回動角度規制部に対し、軸支部材よりも家具本体側で突き当たることを特徴とする。
テーブル天板を回動させようとする使用者は、軸支部材よりも手前側（家具本体から離れた側）でテーブル天板を保持する。そこで、テーブル天板を不使用状態から使用状態に向けて回動させるときに、テーブル天板が、回動角度規制部に対し、軸支部材よりも家具本体側で突き当たるようにすることで、使用者が指を挟んだりするのを確実に防ぐことができる。
【０００９】
テーブル天板とともに軸支部材に回動自在に軸支された回動部材と、回動部材に形成された平面部が突き当たることでテーブル天板の回動角度を規制する第二の回動角度規制部と、をさらに備えることもできる。
これにより、テーブル天板と回転規制部だけでなく、回動部材と第二の回動角度規制部でも、使用状態におけるテーブル天板を支持することになる。これによって、テーブル天板の支持強度をさらに高めることができる。
【００１０】
このような構成において、ブラケット部材は、回動部材および第二の回動角度規制部を収容する凹所を有した構成とすることもできる。これにより、外観体裁を損なうこともなく、また、この部分に使用者が指を入れてしまうのを防ぐことができる。
また、この凹所は、テーブル天板に対向した側の側方にのみ開口した構成とすることもできる。
【００１１】
ブラケット部材は、家具本体に取り付けた状態において、家具本体の取付面側から、取付面から離間した側に向けて、上下方向の長さが漸次縮小するよう形成するのが好ましい。これにより、ブラケット部材を家具本体に対して強固に固定しつつ、ブラケット部材を小型化することができる。
【００１２】
さらに、回動角度規制部は、ブラケット部材において、上下方向の長さが拡大した取付面側に形成するのが好ましい。これにより、回動角度規制部を大型化することが可能となる。
ここで、回動角度規制部だけでなく、第二の回動角度規制部についても、上下方向の長さが拡大した取付面側に形成するのが好ましい。
【発明の効果】
【００１３】
本発明によれば、テーブル天板を不使用状態から使用状態に向けて回動させるときに、テーブル天板が、回動角度規制部に対し、軸支部材よりも家具本体側で突き当たるようにすることで、使用者が指を挟んだりするのを確実に防ぐことができる。
また、テーブル天板と回動角度規制部とが突き当たる部位を、軸支部材とは異なる場所に配置することで、回動角度規制部を大きく形成することができ、テーブル天板の支持強度を大きくすることができる。その結果、支持部材が大型化して外観体裁を損なったり、支持部材が家具から大きく突出して有効空間内での家具の並設可能数を減らすのを防ぐことができる。
【図面の簡単な説明】
【００１４】
【図１】本実施形態に係るテーブル付き椅子の使用形態を示す斜視図である。
【図２】折畳みテーブルを使用状態としたときの斜視図である。
【図３】折畳みテーブルを跳ね上げ状態としたときの斜視図である。
【図４】折畳みテーブルを収納状態としたときの斜視図である。
【図５】収納状態における折畳みテーブルを背もたれ板後方から見た図である。
【図６】（ａ）は図５のＤ−Ｄ断面図、（ｂ）は図５に示したテーブル天板の厚さ方向中心線位置における断面図である。
【図７】（ａ）は図５のＨ−Ｈ断面図、（ｂ）は図５のＧ−Ｇ断面図である。
【図８】ベース部材を異なる二方向から見た斜視図である。
【図９】カバーブラケットを示す図であり、（ａ）は左側面図、（ｂ）は正面図、（ｃ）は右側面図である。
【図１０】カバーブラケットを異なる二方向から見た斜視図である。
【図１１】カバーブラケットに設けられたスライドダンパーを示す分解斜視図である。
【図１２】テーブル天板を引き上げた状態における支持部材の一部構成を示す分解斜視図である。
【図１３】テーブル天板を使用状態としたときの図７（ｂ）に対応した断面図である。
【図１４】テーブル天板を使用状態としたときの図７（ａ）に対応した断面図である。
【図１５】テーブル天板を使用状態としたときの支持部材の一部構成を示す分解斜視図である。
【発明を実施するための形態】
【００１５】
以下、添付図面を参照して、本発明による折畳み式テーブルを備えた家具を実施するための最良の形態を説明する。しかし、本発明はこれらの実施例のみに限定されるものではない。
【００１６】
図１は、本実施形態に係るテーブル付き椅子（家具）１０の一例を示す図である。以下の説明において、テーブル付き椅子１０に使用者が着席した状態で使用者が前を向く側を「前方」、その反対側を「後方」とする。
この図１に示すように、テーブル付き椅子１０の椅子本体（家具本体、椅子）は、例えば劇場、講堂、ホール、会議場、講義室等において、複数の椅子を前後左右に並べて複数設置されるものであり、床面上に設置される一対の支持脚１１，１１と、これら一対の支持脚１１，１１間に設けられる背もたれ部材（背もたれ）１２と、支持脚１１，１１間において背もたれ部材１２の前方に設けられる座面部１３とを備えている。そして、テーブル付き椅子１０はこの椅子本体の背もたれ部材１２の背面に、折畳みテーブル部（折畳み式テーブル）２０を備えている。
【００１７】
支持脚１１，１１は、床面上に下端部１１ａ，１１ａが固定され、上方に向けて立設されるものであれば、いかなる材質、形状、構造であっても良い。
【００１８】
背もたれ部材１２は、板状の背もたれベース１４と、この背もたれベース１４の前方に設けられた背もたれパッド１５と、を有する。これら背もたれベース１４，背もたれパッド１５についても、その材質、形状、構造は何ら限定するものではない。
【００１９】
座面部１３は、支持脚１１，１１にその幅方向両端部が支持され、座面が上方を向いた状態で使用される。この座面部１３は、支持脚１１，１１に対して、座面が上方を向いた状態のまま固定された固定式としても良いし、図１に図示した例のように、座面が上方を向いた状態と、座面が背もたれ部材１２側を向いた状態との間で回動可能とされた跳ね上げ式としても良い。この座面部１３についても、その材質、形状、構造は何ら限定するものではない。
【００２０】
また、図１に示した例では、支持脚１１の上部に肘掛け部材１６が一体に設けられている。この肘掛け部材１６は、支持脚１１とは別に独立して設けても良いし、肘掛け部材１６を備えない構成とすることもできる。
【００２１】
さらに、図１に示した例では、１脚のテーブル付き椅子１０のみを示しているが、このようなテーブル付き椅子１０を複数連結して一体ユニットした構成としても良い。その場合、支持脚１１は、互いに隣接する二つのテーブル付き椅子１０，１０どうしで共有する構成とすることもできる。
【００２２】
さて、このようなテーブル付き椅子１０の背もたれ部材１２に設けられた折畳みテーブル部２０は、板状のテーブル天板２１と、背もたれ部材１２の背面１２ａに固定され、テーブル天板２１の幅方向両端部を支持する一対の支持部材２２，２２と、から構成されている。
支持部材２２，２２は、テーブル天板２１を、支持部材２２，２２どうしを結ぶ軸線を中心として回動可能に支持し、図２および図１（ｃ）に示すように、テーブル天板２１の使用面２１ａを上方に向けた使用状態と、図３および図１（ｂ）に示すように、テーブル天板２１を跳ね上げて使用面２１ａを背もたれ部材１２の背面１２ａに対向させた跳ね上げ状態（不使用状態）と、図４および図１（ａ）に示すように、テーブル天板２１を跳ね上げ状態から背面１２ａに対向させた状態のまま下方にスライドさせた収納状態（不使用状態）と、の間で姿勢を変化できるようになっている。
【００２３】
以下、支持部材２２の構成について説明する。なお、テーブル天板２１の両側に位置する支持部材２２，２２は、左右対称な構成であるので、一方の側の支持部材２２のみについて説明し、他方の側の支持部材２２についてはその説明を省略する。
図５〜図７に示すように、支持部材２２は、背もたれ部材１２の背面１２ａに固定されたベース部材３０と、ベース部材３０とともに背もたれ部材１２の背面１２ａに固定されたカバーブラケット（ブラケット部材）４０と、カバーブラケット４０に固定され、テーブル天板２１を回動自在に軸支する軸支部材５０と、軸支部材５０に支持され、テーブル天板２１をスライド自在に支持する回動部材６０と、回動部材６０とテーブル天板２１との間に設けられたスライドダンパー７０と、を有している。
【００２４】
図７（ａ）、図８に示すように、ベース部材３０は、その一面側に、背もたれ部材１２の背面１２ａに対向する取付面３１を有し、他面側に、カバーブラケット４０が固定されるカバー固定部３２が形成されている。
ベース部材３０は、上下方向に長い矩形状をなし、カバー固定部３２は、その上下に、平面状の取付面３３ａ，３３ｂと、取付面３３ａ，３３ｂに形成された貫通孔３４ａ，３４ｂとを有している。
【００２５】
図７（ａ）、図９に示すように、カバーブラケット４０は、背もたれ部材１２の背面１２ａに固定された状態において、背もたれ部材１２の背面１２ａ側の一端４０ａから、背もたれ部材１２の背面１２ａから離間した側の他端４０ｂに向けて、上下方向の長さが漸次縮小するよう、側面視略Ｄ字状に形成されている。
【００２６】
図２、図９に示すように、このカバーブラケット４０は、テーブル天板２１に対向する一方の側面側に、略半円弧状をなした凹所４２が形成され、他方の側面側は、背もたれ部材１２の背面１２ａに直交するよう立ち上がる側部カバー部４３により覆われている。また、カバーブラケット４０には、側部カバー部４３の外周縁部に直交し、背もたれ部材１２の背面１２ａに対向する側とは反対側を覆う外周カバー部４４が形成されている。
【００２７】
図７（ａ）、図９に示すように、カバーブラケット４０の一端４０ａ側には、取付面３３ａ，３３ｂに対向する平面部４５ａ，４５ｂが形成されている。そして、平面部４５ａ、４５ｂには、貫通孔４６ａ，４６ｂが形成されている。
カバーブラケット４０は、これら平面部４５ａ，４５ｂをベース部材３０の取付面３３ａ，３３ｂに対向させた状態で、取付面３３ｂおよび平面部４５ｂに形成された仮止め孔３５，４７（図８（ａ）、図９（ａ）参照）にビスＢをねじ込むことで、ベース部材３０と仮組みできるようになっている。そして、仮組したベース部材３０とカバーブラケット４０とを、背もたれ部材１２の背面１２ａに突き当て、貫通孔４６ａ，４６ｂおよび３４ａ，３３ｂにボルトをそれぞれ貫通させ、その先端部を背面１２ａに予め形成されたネジ孔にねじこむことによって背もたれ部材１２に固定される。
カバーブラケット４０の凹所４２は、ベース部材３０と一体化された状態で、テーブル天板２１に対向した側の側方にのみ開口する。
【００２８】
図６、図９に示すように、カバーブラケット４０の側部カバー部４３において、凹所４２側の表面には、一方向に長く他方向に長い形状の回動ダンパー取付穴４８が形成されている。
回動ダンパー取付穴４８には、回動ダンパー取付穴４８に嵌り込む形状を有したロータリーダンパー５１の本体５１ａが嵌め込まれてネジ止めされ、これによってカバーブラケット４０に固定される。ロータリーダンパー５１の本体５１ａの、凹所４２への突出寸法を抑えるため、側部カバー部４３には、本体５１ａの厚さに応じ、凹所４２側とは反対側に膨出する膨出部４３ａが形成されている。
【００２９】
このロータリーダンパー５１は、軸支部材５０を構成するもので、本体５１ａから、凹所４２内に突出する回転軸５２を有し、本体５１ａに内蔵されたダンパー機構により、回転軸５２の軸線周りの回動に対し、減衰力を付与する。このとき、ダンパー機構では、回転軸５２の一方向のみの回転に対し、減衰力を付与する、いわゆるワンウェイのダンパー機能を有するのが好ましい。
また、図７（ａ）に示すように、回転軸５２には、回転駆動力を伝達するため、互いに平行な平面部５２ａ，５２ａが形成されている。
【００３０】
回動部材６０は、カバーブラケット４０の凹所４２内に収容された回動プレート部６１を有する。図１０に示すように、この回動プレート部６１は、その外周部に、凹所４２の内周形状に沿う、円弧状の外周面６２を有する。
【００３１】
回動プレート部６１には、長円形の軸穴６５が形成されている。この軸穴６５には、回転軸５２が挿入され、平面部５２ａ，５２ａが軸穴６５の直線部６５ａ，６５ａに対向する。これにより、回動部材６０の回動プレート部６１は、カバーブラケット４０の凹所４２内において、軸穴６５に挿入された回転軸５２を中心として回動可能に設けられている。
【００３２】
図６に示すように、このような回動プレート部６１と、カバーブラケット４０の凹所４２の底面４２ａとの間には、凹所４２の外形形状に応じたディスク状のワッシャ９０が配置されている。このワッシャ９０は、ナイロン系樹脂等、回動プレート部６１が凹所４２内で回動するときの摩擦を低減する材料で形成されている。
【００３３】
図１０に示すように、回動プレート部６１において、この回動プレート部６１をカバーブラケット４０の凹所４２内に収容した状態で、凹所４２の開口側を向く一面６１ａ側には、テーブル天板２１をスライド自在に支持するためのガイド壁部６６，６７が、一面６１ａに直交して立設されている。このガイド壁部６６，６７は、凹所４２から外部に露出するよう設けられている。
図７（ｂ）に示すように、これらガイド壁部６６，６７間には、互いに平行な平面からなるガイド面６６ａ，６７ａが形成されている。
【００３４】
テーブル天板２１の幅方向両端部には、テーブル天板２１の端部に沿ってそれぞれ連続するスライドレール８０がビス留めされて設けられ、このスライドレール８０が、ガイド面６６ａ，６７ａの間に挿入され、ガイド面６６ａ，６７ａに沿った方向にスライド移動自在とされている。
【００３５】
図１１に示すように、ガイド面６６ａ，６７ａの間の溝底面には、円板状のスライドパッド６８が固定されている。このスライドパッド６８は、ナイロン系樹脂等から形成され、その表面がスライドレール８０の側面に対向または接触することで、スライドレール８０のスライド移動を滑らかに行うとともに、ガタツキを抑えるようになっている。
【００３６】
この回動部材６０には、スライドダンパー７０を収容する凹部６９が形成されている。図７、図１１に示すように、スライドダンパー７０は、ピニオンギヤ７１を有した回転シャフト７２と、回転シャフト７２を回動自在に支持するとともに、回転シャフト７２の回動動作を減衰するダンパー機能を有した本体７３と、を有する。このスライドダンパー７０は、回動プレート部６１側から凹部６９内に挿入され、ピニオンギヤ７１が、ガイド壁部６７のガイド面６７ａ側からガイド面６６ａ，６７ａの間の溝内に露出するよう設けられている。
【００３７】
スライドレール８０には、その軸線方向に連続するラック溝８１が形成されており、ピニオンギヤ７１が噛みあっている。このスライドレール８０は、ガイド面６６ａ，６７ａの溝が、背もたれ部材１２の背面１２ａに沿った方向を向いているときに、その軸線方向にスライド移動できるようになっている。そして、ピニオンギヤ７１の回動動作は本体７３により減衰されるので、スライドレール８０のスライド動作、つまりテーブル天板２１のスライド動作を、スライドダンパー７０によって減衰できるようになっている。このとき、本体７３においては、回転シャフト７２の一方向への回動動作のみを減衰する、いわゆるワンウェイのダンパー機能を有するようにしてもよい。つまり、スライドレール８０（テーブル天板２１）を上方から下方にスライドさせるときに、減衰効果を発揮するのが好ましい。
【００３８】
ところで、図５、図７に示すように、スライドレール８０のラック溝８１の両端部には、突起部８２ａ，８２ｂが形成されている。これにより、図１２に示すように、スライドレール８０を上方にスライドしたときには突起部８２ａがガイド壁部６７の一端６７ｂに突き当たることで、そのスライド移動が規制され、図５に示したように、スライドレール８０を下方にスライドしたときには、突起部８２ｂがカバーブラケット４０に突き当たることでそのスライド移動が規制される。なお、突起部８２ｂは、テーブル天板２１を使用者が持ち上げるときのツマミとしても機能させるため、側方に大きく突出して形成されている。
【００３９】
さて、図１２に示すように、スライドレール８０は、これを上方にスライドさせ、突起部８２ａをガイド壁部６７の一端６７ｂに突き当てた状態で、先端部８０ａが、ガイド壁部６６，６７および軸支部材５０よりも下方に突出するようになっている。
【００４０】
また、回動プレート部６１には、その外周部に、平面状の第一平面部６３と、第一平面部６３に対して所定の角度（例えば９０°）をなすよう形成された平面状の第二平面部６４と、が形成されている。
【００４１】
また、回動部材６０に形成されたガイド壁部６６において、回動部材６０の外周側を向く位置には、第一平面部６３が回動プレート部６１から連続して形成されている。なお、この第一平面部６３は、ガイド面６６ａと平行に形成されている。
【００４２】
図７、図８に示すように、前記のベース部材３０には、回動部材６０を、軸穴６５に挿入された回転軸５２を中心として一方の側に回動させたときに、第一平面部６３が突き当たることでその回動角度を規制する第一角度規制面３５が形成されている。この第一角度規制面３５は、例えば、背もたれ部材１２の背面１２ａに対向する取付面３１と平行に形成されている。第一平面部６３は、スライドレール８０をガイドするガイド面６６ａと平行に形成されているため、これにより、テーブル天板２１を跳ね上げていったときに、第一平面部６３が第一角度規制面３５に突き当たることによって、その回動角度が規制される。この状態で、テーブル天板２１は、背もたれ部材１２の背面１２ａに沿った面内に位置する。
【００４３】
図８、図１３、図１４、図１５に示すように、また、ベース部材３０には、テーブル天板２１を跳ね上げた状態から手前に倒して使用状態としようとして、テーブル天板２１とともに軸支部材５０に回動自在に軸支された回動部材６０が、軸穴６５に挿入された回転軸５２を中心として他方の側に回動したときに、回動プレート部６１の第二平面部６４が突き当たることでテーブル天板２１の回動角度を規制する第二角度規制面（第二の回動角度規制部）３６が形成されている。これにより、テーブル天板２１を跳ね上げた状態から手前に倒して使用状態としようとしたときに、第二角度規制面３６と第二平面部６４とが突き当たることで、その回動角度が規制される。
この第二角度規制面３６は、ベース部材３０の幅方向一方の側に形成されている。
【００４４】
さらに、ベース部材３０には、テーブル天板２１を跳ね上げた状態から手前に倒して使用状態としようとして回動させたときに、図１２に示した状態でガイド壁部６６，６７および軸支部材５０の回転軸５２よりも下方に突出していたスライドレール８０の先端部８０ａが干渉しないよう、側面視円弧状の凹部３７が形成されている。そして、この凹部３７に連続して、テーブル天板２１を、跳ね上げた状態から使用状態に向けて回動させたときに、スライドレール８０の先端部８０ａが突き当たることでその回動角度を規制する第三角度規制面（回転角度規制部）３８が形成されている。ここで、第二角度規制面３６と第三角度規制面３８に対しては、第二平面部６４とスライドレール８０の先端部８０ａが同時に突き当たるようになっている。
【００４５】
図１４に示すように、カバーブラケット４０の凹所４２は、その下方の側が、回動部材６０の回動プレート部６１の外周面６１ａと略同じ内径を有した小径部４２ａとされ、上方の側は、回動部材６０の回動プレート部６１の外周面６１ａよりも大きな内径を有した大径部４２ｂとされ、これにより、小径部４２ａと大径部４２ｂとの間には段部４２ｃが形成されている。
このような構成によれば、テーブル天板２１を跳ね上げた状態から手前に倒して使用状態としようとして回動させたときに、第四角度規制面としてのカバーブラケット４０の凹所４２の小径部４２ａにより、回動部材６０の回動プレート部６１を支持し、このとき、小径部４２ａと回転プレート部６１とは面接触することとなる。
したがって、回動部材６０のカバーブラケット４０に対する接触面積を増大させることができる。
【００４６】
上記したような構成のテーブル付き椅子１０においては、折畳みテーブル部２０は、図１（ａ）に示したように、収納状態においては、テーブル天板２１は、その使用面を背もたれ部材１２の背面１２ａに対向させた状態で、下方にスライドした状態となっている。
この状態から、後列に着席した使用者が折畳みテーブル部２０を使用するときには、まず、図１（ｂ）に示すように、テーブル天板２１を上方に引き上げる。そして、テーブル天板２１の両端のスライドレール８０において、突起部８２ａがガイド壁部６７の一端６７ｂに突き当たったら、上方の引き上げ動作を停止する。
【００４７】
続いて、テーブル天板２１を跳ね上げた状態から手前に回動させて使用状態とするときには、ガイド壁部６６，６７および軸支部材５０の回転軸５２よりも下方に突出したスライドレール８０の先端部８０ａが、回転軸５２よりも背もたれ部材１２側でベース部材３０の凹部３７に入り込む。
このとき、スライドレール８０とともに回動部材６０が回動し、その回動動作が、ロータリーダンパー５１により減衰されるので、テーブル天板２１を手前に倒す動作を、スムーズかつ上質に行うことができる。
【００４８】
そして、凹部３７に連続して形成された第三角度規制面３８にスライドレール８０の先端部８０ａが突き当たることで、その回動角度が規制される。このとき、第三角度規制面３８にスライドレール８０の先端部８０ａが突き当たると同時に、第二角度規制面３６に回動プレート部６１の第二平面部６４が突き当たる。
また、この状態で、図１４に示すように、カバーブラケット４０の凹所４２の小径部４２ａにより、回動部材６０の回動プレート部６１が支持される。
これにより、テーブル天板２１が、その使用面２１ａを上方に向けた使用状態となる。
【００４９】
折畳みテーブル部２０を使用状態から跳ね上げて収納するには、上記の手順と逆に、テーブル天板２１の手前側を上方に跳ね上げる。そして、ベース部材３０に形成された第一角度規制面３５に、回動部材６０の第一平面部６３が突き当たることで、その回動角度が規制され、この状態で、テーブル天板２１は、背もたれ部材１２の背面１２ａに沿った面内に位置する。
この後、テーブル天板２１を下方にスライドさせる。このとき、スライドダンパー７０により、スライドレール８０（テーブル天板２１）を上方から下方にスライドさせるときの減衰効果を発揮することができる。これにより、テーブル天板２１を下方にスライドさせる動作を、スムーズかつ上質に行うことができる。
【００５０】
上述したような構成によれば、テーブル天板２１を跳ね上げ状態から使用状態に回動させるとき、テーブル天板２１は、スライドレール８０の先端部８０ａが、ガイド壁部６６，６７および軸支部材５０の回転軸５２よりも背もたれ部材１２側で、第三角度規制面３８に突き当たるようになっている。テーブル天板２１を回動させようとする使用者は、軸支部材５０よりも手前側（背もたれ部材１２から後方に離れた側）でテーブル天板２１を保持する。したがって、使用者の保持位置から最も離れた背もたれ部材１２側で、スライドレール８０の先端部８０ａが第三角度規制面３８に突き当たる構成とすることで、使用者が指を挟んだりするのを確実に防ぐことができる。
また、スライドレール８０の先端部８０ａが第三角度規制面３８に突き当たる部位を、軸支部材５０とは異なる場所に配置することで、第三角度規制面３８を大きく形成することができ、テーブル天板２１の支持強度を大きくすることができる。その結果、支持部材２２が大型化して外観体裁を損なったり、支持部材２２が大きく突出して有効空間内でのテーブル付き椅子１０の並設可能数を減らすのを防ぐことができる。
【００５１】
また、スライドレール８０の先端部８０ａが第三角度規制面３８に突き当たるときには、同時に、第二角度規制面３６に回動プレート部６１の第二平面部６４が突き当たるようになっている。これによって、テーブル天板２１の天面を上方に向けた使用状態においては、テーブル天板２１は、スライドレール８０だけではなく、回動プレート部６１によっても支持されることになる。これによって、スライドレール８０の先端部８０ａにおける荷重の支持量を軽減しながら、スライドレール８０を太くすることなく、テーブル天板２１の支持強度を確保あるいは向上させることができる。したがって、支持部材２２が大型化して外観体裁を損なったり、支持部材２２が大きく突出して有効空間内でのテーブル付き椅子１０の並設可能数を減らすのを防ぐことができる。
【００５２】
しかも、回動プレート部６１および第二角度規制面３６は、カバーブラケット４０の凹所４２内に収容されているので、外観体裁を損なうこともなく、また、この部分に使用者が指を入れてしまうのも防ぐことができる。
【００５３】
さらに、テーブル天板２１を使用状態とした状態では、カバーブラケット４０の凹所４２の小径部４２ａにより、回動部材６０の回動プレート部６１が支持され、このとき、小径部４２ａと回転プレート部６１とが面接触している。したがって、回動部材６０のカバーブラケット４０に対する接触面積を増大させることができ、この点においてもテーブル天板２１の支持強度を高めることができる。
【００５４】
さらに、テーブル天板２１の回動部を支持するカバーブラケット４０は、背もたれ部材１２の背面１２ｂ側の一端４０ａから、背もたれ部材１２の背面１２ｂから離間した側の他端４０ｂに向けて、上下方向の長さが漸次縮小するよう、側面視略Ｄ字状に形成されている。これによって、カバーブラケット４０を背もたれ部材１２の背面１２ａに対して強固に固定してテーブル天板２１の支持強度を高めつつ、カバーブラケット４０（支持部材２２）を小型化することができる。
【００５５】
第一角度規制面３５、第二角度規制面３６、第三角度規制面３８は、カバーブラケット４０おいて、上下方向の長さが拡大した一端４０ａ（取付面側）に形成したことになる。これにより、第一角度規制面３５、第二角度規制面３６を大型化することが可能となる。
【００５６】
（その他の実施形態）
なお、本発明は、図面を参照して説明した上述の実施形態に限定されるものではなく、その技術的範囲において様々な変形例が考えられる。
例えば、上記実施形態では、第一角度規制面３５、第二角度規制面３６、第三角度規制面３８を、ベース部材３０に形成する構成としたが、これに限るものではなく、例えば、背もたれ部材１２の背面１２ａから第一角度規制面３５、第二角度規制面３６、第三角度規制面３８を突出形成させる構成とすることもできる。これ以外にも、第一角度規制面３５、第二角度規制面３６、第三角度規制面３８を、ベース部材３０に形成する構成としつつ、カバーブラケット４０とは、背もたれ部材１２の背面１２ｂに沿った横方向にオフセットすることで、カバーブラケット４０とは離間して形成する構成とすることも可能である。
さらに、上記実施形態では、テーブル天板２１を回動させるだけでなく、跳ね上げ状態からスライドさせて収納状態とするようにしたが、使用状態から跳ね上げるのみで収納状態とする構成においても、上記と同様の効果を得ることができる。
また、上記実施形態で示した各構成部品の形状や構造は、適宜変更することができる。
さらに、テーブル付き椅子１０に限らず、折り畳み式のテーブルを備えるのであれば、他のいかなる家具にも本発明を適用することが可能である。
これ以外にも、本発明の主旨を逸脱しない限り、上記実施の形態で挙げた構成を取捨選択したり、他の構成に適宜変更することが可能である。
【符号の説明】
【００５７】
１０  テーブル付き椅子（家具、家具本体、椅子）
１２  背もたれ部材（背もたれ）
１２ａ      背面
１３  座面部
２０  折畳みテーブル部（折畳み式テーブル）
２１  テーブル天板
２２  支持部材
３０  ベース部材
３５  第一角度規制面
３６  第二角度規制面（第二の回動角度規制部）
３８  第三角度規制面（回転角度規制部）
４０  カバーブラケット（ブラケット部材）
４２  凹所
４３  側部カバー部
４４  外周カバー部
４８  回動ダンパー取付穴
５０  軸支部材
５１  ロータリーダンパー
５２  回転軸
６０  回動部材
６１  回動プレート部
６２  外周面
６３  第一平面部
６４  第二平面部
６５  軸穴
６６，６７  ガイド壁部
６８  スライドパッド
６９  凹部
７０  スライドダンパー
７１  ピニオンギヤ
７２  回転シャフト
７３  本体
８０  スライドレール
８０ａ      先端部
８１  ラック溝
【図１】
0005982151.tif 000002
【図２】
0005982151.tif 000003
【図３】
0005982151.tif 000004
【図４】
0005982151.tif 000005
【図５】
0005982151.tif 000006
【図６】
0005982151.tif 000007
【図７】
0005982151.tif 000008
【図８】
0005982151.tif 000009
【図９】
0005982151.tif 000010
【図１０】
0005982151.tif 000011
【図１１】
0005982151.tif 000012
【図１２】
0005982151.tif 000013
【図１３】
0005982151.tif 000014
【図１４】
0005982151.tif 000015
【図１５】
0005982151.tif 000016